(57)【要約】  本発明の課題は、サイクルタイムの増加を防止しつつ、レンズの外縁側に高精度で微細形状等を転写した光学素子を提供することである。本発明の光学素子によれば、フランジ部１２に設けた突起部分１４が、微細形状ＦＳの最外周を光軸ＯＡに垂直な方向の外側から覆うので、射出成形時に金型に形成された型空間ＣＶ内に導入される樹脂は、まずフランジ部１２に設けた突起部分１４のうち樹脂流入口側に対応する型空間部分を充填した後、この突起部分１４に隣接する微細形状ＦＳに対応する型空間部分を充填する。突起部分１４に対応する型空間に溜まった樹脂によって、可動金型４１のうち微細形状ＦＳの転写のための型面部分Ｓ１１を予熱することで、この微細形状ＦＳに対応する型面部分Ｓ１１の温度低下が抑制される。
2011040148.tif 000002
【特許請求の範囲】
【請求項１】
光学面に微細形状を設けた光学機能部と、前記光学機能部の周囲に設けられるフランジ部とを有し、前記フランジ部の外周縁に対応する部位から型空間内に導入された樹脂によって射出成形される光学素子であって、
前記フランジ部は、前記光学面側に突出する断熱保温部を有し、
前記断熱保温部は、前記光学面に設けられた微細形状の最外周を光軸に垂直な方向の外側から覆うことを特徴とする光学素子。
【請求項２】
前記断熱保温部は、前記フランジ部に沿って環状に設けられていることを特徴とする請求項１に記載の光学素子。
【請求項３】
前記フランジ部のうち前記光学機能部との境界に設けられたクビレ部分の底から前記断熱保温部によって覆われる微細形状の先端頂点までの光軸方向の距離Ａと、前記クビレ部分の底から前記断熱保温部の頂部までの光軸方向の距離Ｂとに関して、比Ａ／Ｂは、０．２５以上０．８５以下であることを特徴とする請求項２に記載の光学素子。
【請求項４】
前記断熱保温部によって覆われる微細形状の最外周の先端頂点から光軸に直角な半径方向に延びる直線が前記断熱保温部の内径面と交差する第１交点までの距離Ｃと、前記第１交点から光軸に直角な半径方向に延びる直線が前記断熱保温部の外径面と交差する第２交点までの距離Ｄとに関して、Ｃ＜Ｄの関係が成り立つことを特徴とする請求項２に記載の光学素子。
【請求項５】
前記断熱保温部によって覆われる微細形状の先端頂点から光軸に直角な半径方向に延びる直線が前記断熱保温部の内径面と交差する第１交点から、前記直線が前記断熱保温部の外径面で交差する第２交点までの距離Ｄと、前記フランジ部のうち前記光学機能部との境界に設けられたクビレ部分の光軸方向の肉厚Ｅとに関して、Ｅ＜Ｄの関係が成り立つことを特徴とする請求項２に記載の光学素子。
【請求項６】
比Ｅ／Ｄは、０．６５以上０．８５以下であることを特徴とする請求項５に記載の光学素子。
【請求項７】
前記断熱保温部の内径面と光軸とのなす角度θは、５°以上４５°以下であることを特徴とする請求項１から請求項６までのいずれか一項に記載の光学素子。
【発明の詳細な説明】
【技術分野】
【０００１】
本発明は、光学面に微細形状を有する光学素子、特に光ピックアップ装置に組み込まれる対物レンズその他の光学素子に関する。
【背景技術】
【０００２】
光学素子の製造方法として、キャビティ面付近に温度センサーを設け、キャビティに近い流路に冷媒を送る冷却装置と、冷媒を加熱する加熱ヒータを用いた加熱装置とによって、光学素子の成形温度を制御する射出成形用ヒートサイクルシステムが存在する（特許文献１参照）。【０００３】
また、樹脂製の光学素子として、可動金型側で成形される一方側に微細形状を有する光学機能部を有するとともに、光学機能部の周辺にフランジ部を有し、フランジ部に光軸方向と直交する方向への熱収縮を阻止する熱収縮阻止部を設けたものが存在する（特許文献２参照）。この熱収縮阻止部は、例えばフランジ部の内側面となっている。
【先行技術文献】
【特許文献】
【０００４】
【特許文献１】特開平６−３２８５３８号公報
【特許文献２】特開２００５−１３２００２号公報
【発明の概要】
【発明が解決しようとする課題】
【０００５】
特許文献１のようなヒートサイクルシステムの場合、転写性を向上させることができるが、金型の加熱及び冷却に時間が費やされるため、サイクルタイムが増大してしまい、生産性が低下し製造コストが増大するという問題がある。【０００６】
また、特許文献２のように光学機能部に微細形状を設けた場合、微細構造に対応する型面部分に樹脂が入り込みにくくなり、転写性が劣化する可能性がある。特に、レンズの光学面のうち外縁側の微細形状は、転写用の入れ子型の外周に在るため放熱によって温度が低下しやすいことから、充填時の樹脂粘度が上昇して、転写性の劣化が顕著となる場合がある。【０００７】
そこで、本発明は、製造時のサイクルタイムの増加を防止しつつ、レンズの外縁側に高精度で微細形状等を転写した光学素子を提供することを目的とする。
【課題を解決するための手段】
【０００８】
上記課題を解決するため、本発明に係る光学素子は、光学面に微細形状を設けた光学機能部と、光学機能部の周囲に設けられるフランジ部とを有し、フランジ部の外周縁に対応する部位から型空間内に導入された樹脂によって射出成形される光学素子であって、フランジ部が、光学面側に突起する断熱保温部を有し、断熱保温部が、光学面に設けられた微細形状の最外周を光軸に垂直な方向の外側から覆う。【０００９】
上記光学素子では、フランジ部に設けた断熱保温部が、光学面に設けられた微細形状の最外周を光軸に垂直な方向の外側から覆うので、射出成形時に金型中に形成された型空間内に導入される樹脂は、まずフランジ部に設けた断熱保温部のうち樹脂流入口側に対応する型空間部分を充填した後、この断熱保温部に隣接する微細形状に対応する型空間部分を充填する。そして、樹脂充填の完了後は、微細形状の最外周全体が断熱保温部によって囲まれることになる。【００１０】
このように、断熱保温部に対応する型空間に溜まった樹脂によって、金型のうち微細形状の転写のための型面部分を予熱することで、この微細形状に対応する型面部分の温度低下が抑制される。この結果、金型のうち予熱によって暖まった微細形状に対応する型面部分に導入された樹脂は、型面部分の微細転写構造の凹部に入り込み易くなるので、転写性が向上し、高精度の光学素子を提供することができる。【００１１】
本発明の具体的な態様では、上記光学素子において、断熱保温部が、フランジ部に沿って環状に設けられている。この場合、環状の断熱保温部によって、金型のうち微細形状に対応する型面部分が全体として予熱等される。このように周囲全体から予熱等された型面部分に導入された樹脂は、型面部分の微細転写構造の凹部により入り込み易くなる。【００１２】
本発明のさらに別の態様では、フランジ部のうち光学機能部との境界に設けられたクビレ部分の底から断熱保温部によって覆われる微細形状の最外周の先端頂点までの光軸方向の距離Ａと、クビレ部分の底から断熱保温部の頂部までの光軸方向の距離Ｂとに関して、比Ａ／Ｂが、０．２５以上０．８５以下である。【００１３】
この場合、比Ａ／Ｂを０．８５以下とすることで、最外周の微細形状の先端全体に対応する型面部分を、断熱保温部を形成すべき溶融樹脂によって光軸に垂直な外側から十分な余裕をもって確実に覆うことができる。また、比Ａ／Ｂを０．２５以上とすることで、微細形状の位置をクビレ部分に極端に近づけて配置しなくてすむ。このため、光学機能部に対応する金型入子に微細転写構造を加工する作業が容易になり、或いは微細転写構造の加工時に金型入子の先端を破損しにくくすることができる。【００１４】
本発明のさらに別の態様では、断熱保温部によって覆われる微細形状の最外周の先端頂点から光軸に直角な半径方向に延びる直線が断熱保温部の内径面と交差する第１交点までの距離Ｃと、第１交点から光軸に直角な半径方向に延びる直線が断熱保温部の外径面と交差する第２交点までの距離Ｄとに関して、Ｃ＜Ｄの関係が成り立つ。【００１５】
この場合、型空間のうち断熱保温部に対応する部分に溜まった溶融樹脂が持つ熱量により、断熱保温部に囲まれる光学面の微細形状が周囲から効果的に断熱されるのと同時に暖められ、転写性がさらに向上する。【００１６】
本発明のさらに別の態様では、断熱保温部によって覆われる微細形状の先端頂点から光軸に直角な半径方向に延びる直線が断熱保温部の内径面と交差する第１交点から、当該直線が断熱保温部の外径面で交差する第２交点までの距離Ｄと、フランジ部のうち光学機能部との境界に設けられたクビレ部分の光軸方向の肉厚Ｅとに関して、Ｅ＜Ｄの関係が成り立つ。【００１７】
この場合、型空間のうち断熱保温部に対応する部分に溜まった溶融樹脂が持つ熱量により、断熱保温部に囲まれる光学面の微細形状の部分に達した溶融樹脂が周囲から効果的に断熱されるとともに暖められ、転写性がさらに向上する。【００１８】
本発明のさらに別の態様では、比Ｅ／Ｄが０．６５以上０．８５以下である。この場合、比Ｅ／Ｄが０．８５以下であるから、微細形状に対応する型空間部分よりも先に断熱保温部に対応する型空間部分に溶融樹脂が充填され、比Ｅ／Ｄが０．６５以上であるから、断熱保温部に対応する型空間部分に溶融樹脂が充填された後、微細形状に対応する型空間部分にも、溶融樹脂がクビレ部分で冷却固化しシールする傾向を抑制しつつ迅速な充填が行われる。【００１９】
本発明のさらに別の態様では、断熱保温部の内径面と光軸とのなす角度θは、５°以上４５°以下である。角度θを５°以上とすることにより、離型時の離型抵抗を小さくすることができる。また、離型抵抗の低減により光学素子の傾きを抑制でき、傾いたまま離型した際に生じる微細形状の変形を防止できる。また、角度θを４５°以下にすることで、上述した距離Ｃが大きくなりすぎることを防止でき、光学素子の大径化を抑制できる。
【図面の簡単な説明】
【００２０】
【図１】実施形態のレンズの部分側方断面図である。
【図２】図１のレンズを形成するための成形金型を説明する部分側方断面図である。
【図３】樹脂供給用の流路空間やレンズを成形用の型空間を説明する図である。
【図４】図１のレンズを組み込んだ光ピックアップ装置を説明する図である。
【発明を実施するための形態】
【００２１】
以下、本発明に係る光学素子の一実施形態である光ピックアップ装置用の対物レンズについて説明する。
【００２２】
図１に示す対物レンズ１０は、プラスチック製で、光学的機能を有する円形の光学機能部１１と、光学機能部１１の外縁から半径方向外側に設けられた環状のフランジ部１２とを備える。対物レンズ１０は光軸ＯＡのまわりに対称な形状を有しているので、半分だけ図示しており残りの図示を省略している。
【００２３】
この対物レンズ１０は、ＮＡ０．７５以上の対物レンズである。具体的には、対物レンズ１０は、例えば２波長互換タイプの単玉対物レンズであるものとする。この場合、対物レンズ１０は、波長４０５ｎｍでＮＡ０．８５のＢＤ（Ｂｌｕ−Ｒａｙ  Ｄｉｓｃ）の規格に対応した光情報の読み取り又は書き込みを可能とするほか、例えば波長６５５ｎｍでＮＡ０．６５のＤＶＤ（Ｄｉｇｉｔａｌ  Ｖｅｒｓａｔｉｌｅ  Ｄｉｓｃ）と、波長７８０ｎｍでＮＡ０．５３のＣＤとのいずれか一方の規格に対応した光情報の読み取り又は書き込みを可能とする。
【００２４】
対物レンズ１０の光学機能部１１は、表側に曲率の大きな凸の第１光学面ＯＳ１を有し、裏側に僅かに凸の第２光学面ＯＳ２を有する。このうち、第１光学面ＯＳ１は、対物レンズ１０を光ピックアップ装置に組み込んで動作させる際に、読み取り又は書き込み用のレーザ光源により近い側に配置される。また、第２光学面ＯＳ２は、対物レンズ１０を光ピックアップ装置に組み込んで動作させる際に、光情報記録媒体であるＢＤ等に対向して配置される。
【００２５】
また、第１光学面ＯＳ１には、回折構造である微細形状ＦＳが設けられている。この微細形状ＦＳは、同心の輪帯状に形成されており、その最外周は、光学機能部１１の外縁に近い位置に達している。微細形状ＦＳの最外周の突起Ｐの頂点Ｐａは、光軸ＯＡ方向に関してフランジ部１２の頂面１２ａよりも光情報記録媒体側すなわち第２光学面ＯＳ２側寄りに配置されている。
【００２６】
対物レンズ１０のフランジ部１２は、光学機能部１１との境界に設けられた環状のクビレ部分１３と、クビレ部分１３の半径方向外側に設けられた環状の突起部分１４とを備える。内側のクビレ部分１３は、比較的肉薄の部分であり、外側の突起部分１４は、比較的肉厚の部分である。外側の突起部分１４は、クビレ部分１３よりもレーザ光源側すなわち第１光学面ＯＳ１側に突起しており、対物レンズ１０を射出成形する際に光学機能部１１の転写面の冷却を抑える断熱保温部として機能する。クビレ部分１３のレーザ光源側すなわち第１光学面ＯＳ１側には、輪帯状の平面ＥＰが形成されている。
【００２７】
突起部分１４は、光軸ＯＡに垂直な頂面１２ａのほかに、光学機能部１１の微細形状ＦＳに対向する内径面１４ａと、頂面１２ａを挟んで内径面１４ａの反対側に配置される外径面１４ｂとを有する。内径面１４ａは、光軸ＯＡに対して傾斜して延びており、レーザ光源側で広がるテーパ形状を有する。外径面１４ｂは、光軸ＯＡに対して平行に延びており、筒形状を有する。なお、フランジ部１２全体の光情報記録媒体側すなわち第２光学面ＯＳ２側は、光軸ＯＡに垂直に延びる平坦な面１２ｂとなっている。この面１２ｂは、例えばコリメート光を正反射する平坦面からなる領域を有しており、対物レンズ１０をアライメントする際に利用される。
【００２８】
以下、図２等を参照して、図１に示す対物レンズ１０を製造するための成形金型について説明する。図示の成形金型４０は、第１金型としての可動金型４１と、第２金型としての固定金型４２とを備える。可動金型４１は、型開閉駆動装置５１に駆動されてＡＢ方向に進退移動可能になっており、固定金型４２との間で開閉動作が可能になっている。両金型４１，４２をパーティング面ＰＳ１、ＰＳ２で型合わせして型締めすることにより、以下に詳述するように、射出成形用の型空間を形成することができる。
【００２９】
図３に示すように、可動金型４１と固定金型４２との型締めにより、対物レンズ１０を成形するための型空間ＣＶと、この型空間ＣＶに樹脂を供給するための流路空間ＦＣとが形成される。このうち、型空間ＣＶは、図１に示す対物レンズ１０の形状に対応するものとなっている。また、流路空間ＦＣは、対物レンズ１０を分離する前の成形品のランナＲＰ等に対応する空間であり、ゲート部分ＧＳは、かかる成形品のゲートＧＰに対応する空間である。なお、図１に示す対物レンズ１０では、仕上げ加工によってゲート部分ＧＳが完全に除去されている。
【００３０】
型空間ＣＶは、本体空間ＣＶ１とフランジ空間ＣＶ２とを備える。ここで、本体空間ＣＶ１を画定する第１及び第２転写面Ｓ１，Ｓ２は、対物レンズ１０のうち中央の主な光学機能部１１の第１及び第２光学面ＯＳ１，ＯＳ２をそれぞれ形成するためのもので、後述するコア型６４ａ，７４ａの端面に対応している。この場合、第１転写面Ｓ１は、第２転写面Ｓ２よりも深く曲率が大きくなっている。また、第１転写面Ｓ１には、対物レンズ１０の微細形状ＦＳに対応する型面部分Ｓ１１が設けられている。
【００３１】
図２に戻って、可動側の可動金型４１は、パーティング面ＰＳ１を形成する型板６１と、型板６１を背後から支持する受板６２と、受板６２を背後から支持する取付板６３と、図３に示す型空間ＣＶ（特に本体空間ＣＶ１）を形成する金型入子としてのコア型６４ａと、型空間ＣＶ（特にフランジ空間ＣＶ２）を形成する周辺部としての外周型６４ｂと備える。さらに、可動金型４１は、対物レンズ１０を分離する前の成形品のランナＲＡを突き出して離型する突き出しピン６５と、コア型６４ａを背後から押す可動ロッド６７ａと、突き出しピン６５を背後から押す可動ロッド６７ｂと、可動ロッド６７ａ，６７ｂを進退移動させる進退部材６８とを備える。
【００３２】
ここで、コア型６４ａは、前進する可動ロッド６７ａに駆動されて固定金型４２側に前進し、可動ロッド６７ａの後退に伴って自動的に後退して元の位置に復帰する。また、突き出しピン６５は、前進する可動ロッド６７ｂに駆動されて固定金型４２側に前進し、可動ロッド６７ｂの後退に伴って自動的に後退して元の位置に復帰する。なお、進退部材６８は、進退駆動装置５２に駆動され、適当なタイミング及び量でＡＢ方向に進退動作する。
【００３３】
可動金型４１において、型面側の金型部品である型板６１は、図１に示すランナＲＰを形成するランナ凹部６１ｂと、ゲートＧＰを形成するゲート凹部６１ｃと、外周型６４ｂや突き出しピン６５，６６を挿入するために設けた貫通孔６１ｅ、６１ｆとを備える。
【００３４】
固定側の固定金型４２は、パーティング面ＰＳ２を形成する型板７１と、型板７１を背後から支持する取付板７２と、図３に示す型空間ＣＶ（特に本体空間ＣＶ１）を形成する金型入子としてのコア型７４ａと、型空間ＣＶ（特にフランジ空間ＣＶ２）を形成する周辺部としての外周型７４ｂとを備える。
【００３５】
固定金型４２において、型面側の金型部品である型板７１は、図１に示すランナＲＰを形成するランナ凹部７１ｂと、ゲートＧＰを形成するゲート面７１ｃと、外周型７４ｂを挿入するために設けた貫通孔７１ｅとを備える。
【００３６】
以下、対物レンズ１０のフランジ部１２の寸法等に関する条件について説明する。まず、クビレ部分１３の底の平面ＥＰから微細形状ＦＳの最外周の突起Ｐの頂点Ｐａまでの光軸ＯＡ方向の距離Ａと、クビレ部分１３の底の平面ＥＰから断熱保温部の頂部に相当する突起部分１４の頂面１２ａまでの光軸ＯＡ方向の距離Ｂとの関係について考える。
【００３７】
本実施形態では、これらの距離の比Ａ／Ｂを０．２５以上０．８５以下としている。比Ａ／Ｂを０．８５以下とすることで、射出成形に際して、型面部分Ｓ１１のうち微細形状ＦＳの最外周の突起Ｐに対応する型面部分を、突起部分１４を形成すべき溶融樹脂によって光軸ＯＡに垂直な外側から十分な余裕をもって確実に覆うことができる。また、比Ａ／Ｂを０．２５以上とすることで、微細形状ＦＳの最外周の突起Ｐの位置をクビレ部分１３に極端に近づけて配置しなくてすむ。
【００３８】
このため、コア型６４ａの型面部分Ｓ１１に微細形状ＦＳに対応する微細転写構造ＦＴを加工する作業が容易になり、或いは微細形状ＦＳに対応する微細転写構造ＦＴの加工時にコア型６４ａの先端を破損しにくくすることができる。
【００３９】
次に、微細形状ＦＳの最外周の突起Ｐの頂点Ｐａから光軸ＯＡに直角な半径方向に延びる直線が突起部分１４の内径面１４ａと交差する第１交点Ｉ１までの距離Ｃと、第１交点Ｉ１から光軸ＯＡに直角な半径方向に延びる直線が突起部分１４の外径面１４ｂと交差する第２交点Ｉ２までの距離Ｄとの関係について考える。
【００４０】
本実施形態では、これらの大小関係がＣ＜Ｄであるものとする。これにより、射出成形に際して、型空間ＣＶのうち突起部分１４に対応するフランジ空間ＣＶ２の窪みＲ２に溜まった溶融樹脂が持つ熱量により、突起部分１４に囲まれる微細形状ＦＳの部分に達した溶融樹脂が周囲から効果的に断熱されるのと同時に暖められ、転写性がさらに向上する。
【００４１】
次に、上記した第１交点Ｉ１から第２交点Ｉ２まで距離Ｄと、クビレ部分１３の光軸ＯＡ方向の肉厚Ｅとの関係について考える。なお、この肉厚Ｅは、突起部分１４の総厚みＦからクビレ部分１３に比較しての突起量である距離Ｂを引いたものに相当している。
【００４２】
本実施形態では、これらの大小関係がＥ＜Ｄであるものとする。これにより、射出成形に際して、型空間ＣＶのうち突起部分１４に対応するフランジ空間ＣＶ２の窪みＲ２に溜まった溶融樹脂が持つ熱量により、突起部分１４に囲まれる微細形状ＦＳの部分に達した溶融樹脂が周囲から効果的に断熱されるとともに暖められ、転写性がさらに向上する。
【００４３】
本実施形態では、さらに、これらの距離の比Ｅ／Ｄを０．６５以上０．８５以下としている。比Ｅ／Ｄを０．８５以下とすることで、射出成形に際して、本体空間ＣＶ１のうち微細形状ＦＳに対応する型空間部分よりも先に突起部分１４に対応するフランジ空間ＣＶ２の窪みＲ２に溶融樹脂が充填され、型面部分Ｓ１１の予熱効果を高めることができる。また、比Ｅ／Ｄを０．６５以上とすることで、突起部分１４に対応するフランジ空間ＣＶ２の窪みＲ２に溶融樹脂が充填された後、溶融樹脂がクビレ部分１３で冷却固化しシールする傾向を抑制しつつ、本体空間ＣＶ１のうち微細形状ＦＳに対応する型空間部分に迅速な充填を行うことができる。
【００４４】
次に、突起部分１４の内径面１４ａと光軸ＯＡのなす角度θについては、本実施形態において、５°以上４５°以下とする。角度θを５°以上とすることにより、対物レンズ１０の離型時の離型抵抗を小さくすることができる。また、離型抵抗の低減により対物レンズ１０の傾きを抑制でき、傾いたまま離型した際に生じる微細形状ＦＳの変形を防止できる。また、角度θを４５°以下にすることで、上述した距離Ｃが大きくなりすぎることを防止でき、対物レンズ１０の大径化を抑制できる。
【００４５】
以下、対物レンズ１０の製造方法について簡単に説明する。まず、不図示の金型温度調節機により、可動金型４１と固定金型４２とを適宜加熱する。これにより、両金型４１，４２において型空間ＣＶを形成する金型部分の温度を成形に適する温度状態とする。次に、型開閉駆動装置５１を動作させ、可動金型４１を固定金型４２側に前進させて型閉じ状態とし、型開閉駆動装置５１の閉動作をさらに継続することにより、可動金型４１と固定金型４２とを必要な圧力で締め付ける型締めが行われる。
【００４６】
次に、不図示の射出装置を動作させて、型締めされた可動金型４１と固定金型４２との間の型空間ＣＶ中に、ゲート部分ＧＳ等を介して溶融樹脂を必要な圧力で注入する射出を行わせる。溶融樹脂を型空間ＣＶに導入した後は、型空間ＣＶ中の溶融樹脂が放熱によって徐々に冷却されるので、かかる冷却に伴って溶融樹脂が固化し成形が完了するのを待つ。
【００４７】
次に、型開閉駆動装置５１を動作させて、可動金型４１を後退させ、可動金型４１を固定金型４２から離隔させる型開きを行わせる。この結果、成形品である対物レンズ１０は、可動金型４１に保持された状態で固定金型４２から離型される。
【００４８】
次に、進退駆動装置５２を動作させて、可動ロッド６７ａ，６７ｂを介してコア型６４ａ及び突き出しピン６５による対物レンズ１０の突き出しを行わせる。この結果、対物レンズ１０が、可動ロッド６７ａ等に付勢されて固定金型４２側に押し出されて、対物レンズ１０が可動金型４１から離型される。なお、両金型４１，４２から離型された対物レンズ１０は、この対物レンズ１０のランナＲＰから延びるスプル部等を把持することによって、成形装置の外部に搬出される。さらに、搬出後の対物レンズ１０は、ゲートＧＰの除去等の外形加工を施されて出荷用の製品とされる。
【００４９】
図４は、図１の対物レンズ１０を組み込んだ光ピックアップ装置の光学系の構成を概略的に示す図である。
【００５０】
図示の光ピックアップ装置において、各半導体レーザ８１Ａ，８１Ｂからのレーザ光は、互換型の対物レンズ１０を利用して光情報記録媒体である光ディスクＤＢ，ＤＤ（又はＤＣ）に照射され、各光ディスクＤＢ，ＤＤ（又はＤＣ）からの反射光は、互換型の対物レンズ１０を介し、最終的に各光検出器８７Ａ，８７Ｂに導かれる。
【００５１】
なお、上述の半導体レーザ８１Ａ，８１Ｂや光検出器８７Ａ，８７Ｂのほか、コリメータ系８２Ａ，８２Ｂ、グレーティング８３Ａ，８３Ｂ、偏光ビームスプリッタ８４Ａ，８４Ｂ、ビームエキスパンダ８４Ｇ、サーボレンズ８５Ａ，８５Ｂ、１／４波長板８８Ａ，８８Ｂ、ダイクロイックプリズム８４Ｃ、プリズムミラー８４Ｄ等を含む光学系は、各光ディスクＤＢ，ＤＤ（ＤＣ）に対して情報の記録・再生を行うための光学装置として機能する。
【００５２】
ここで、第１半導体レーザ８１Ａは、第１光ディスクＤＢの情報再生用のレーザ光（具体的には、ＢＤ用の波長４０５ｎｍ）を発生し、このレーザ光は、対物レンズ１０で集光され、ＮＡ０．８５相当のスポットが情報記録面ＭＢ上に形成される。第２半導体レーザ８１Ｂは、第２光ディスクＤＤ又はＤＣの情報再生用のレーザ光（具体的には、ＤＶＤ用の波長６５５ｎｍ、又はＣＤ用の波長７８０ｎｍ）を発生し、その後レーザ光は、対物レンズ１０で集光され、ＮＡ０．６５（又はＮＡ０．５３）相当のスポットが情報記録面ＭＤ（ＭＣ）上に形成される。
【００５３】
一方、第１光検出器８７Ａは、第１光ディスクＤＢ（具体的にはＢＤ）に記録された情報を光信号として検出し、第２光検出器８７Ａは、第２光ディスクＤＤ又はＤＣ（具体的にはＤＶＤ又はＣＤ）に記録された情報を光信号として検出する。
【００５４】
以下、図４の光ピックアップ装置の詳細な構造や具体的な動作について説明する。まず第１光ディスクＤＢを再生する場合、第１半導体レーザ８１Ａから例えば波長４０５ｎｍのレーザ光が出射され、出射された光束は、ビームシェーパやコリメータレンズからなるコリメータ系８２Ａにより平行光束となる。この光束は、グレーティング８３Ａ、偏光ビームスプリッタ８４Ａ、及び１／４波長板８８Ａ等を透過し、ダイクロイックプリズム８４Ｃ及びプリズムミラー８４Ｄを通過した後、対物レンズ１０により第１光ディスクＤＢの情報記録面ＭＢに集光される。
【００５５】
情報記録面ＭＢで情報ビットにより変調されて反射された光束は、再び対物レンズ１０を透過して、ダイクロイックプリズム８４Ｃ等を経て偏光ビームスプリッタ８４Ａに入射し、ここで反射されてサーボレンズ８５Ａにより非点収差が与えられ、第１光検出器８７Ａ上へ入射し、その出力信号を用いて、第１光ディスクＤＢに記録された情報の読み取り信号が得られる。
【００５６】
また、第１光検出器８７Ａ上でのスポットの形状変化、位置変化による光量変化を検出して、合焦（フォーカス）検出やトラック検出を行う。この検出に基づいて、アクチュエータ９１が、第１半導体レーザ８１Ａからの光束を第１光ディスクＤＢの情報記録面ＭＢ上に結像させるように、対物レンズ１０を光軸方向に移動させるとともに、この第１半導体レーザ８１Ａからの光束を所定のトラックに結像するように、対物レンズ１０を光軸に垂直な方向に移動させる。
【００５７】
次に、第２光ディスクＤＤ又はＤＣを再生する場合、第２半導体レーザ８１Ｂから例えば波長６５５ｎｍのレーザ光が出射され、出射された光束は、コリメータ系８２Ｂにより平行光束となる。この光束は、グレーティング８３Ｂ、偏光ビームスプリッタ８４Ｂ、及び１／４波長板８８Ｂを透過し、ダイクロイックプリズム８４Ｃ及びプリズムミラー８４Ｄを通過した後、対物レンズ１０により第２光ディスクＤＤ又はＤＣの情報記録面ＭＤ又はＭＣに集光される。
【００５８】
情報記録面ＭＤ又はＭＣで情報ビットにより変調されて反射された光束は、再び対物レンズ１０を透過して、ダイクロイックプリズム８４Ｃ等を経て偏光ビームスプリッタ８４Ｂに入射し、ここで反射されてサーボレンズ８５Ｂにより非点収差が与えられ、第２光検出器８７Ｂ上に入射し、その出力信号を用いて、第２光ディスクＤＤ又はＤＣに記録された情報の読み取り信号が得られる。
【００５９】
なお、第１光ディスクＤＢの場合と同様、第２光検出器８７Ｂ上でのスポットの形状変化、位置変化による光量変化を検出して、合焦検出やトラック検出を行い、アクチュエータ９１により、フォーカシング及びトラッキングのために対物レンズ１０を移動させる。
【００６０】
なお、以上は光ディスクＤＢ，ＤＤ（又はＤＣ）から情報を再生する場合の説明であったが、半導体レーザ８１Ａ，８１Ｂの出力を調整すること等により、光ディスクＤＢ，ＤＤ（又はＤＣ）に情報を記録することもできる。
【００６１】
また、第２半導体レーザ８１Ｂを２波長型のレーザダイオードとし、対物レンズ１０を３波長互換タイプとするならば、３波長互換型の光ピックアップ装置とすることもできる。
【００６２】
以上の説明から明らかなように、本実施形態の対物レンズ１０では、フランジ部１２に設けた突起部分１４が、微細形状ＦＳの最外周を光軸ＯＡに垂直な方向の外側から覆うので、射出成形時に金型に形成された型空間ＣＶ内に導入される樹脂は、まずフランジ部１２に設けた突起部分１４のうち樹脂流入口側に対応する型空間部分を充填した後、この突起部分１４に隣接する微細形状ＦＳに対応する型空間部分を充填する。そして、樹脂充填の完了後は、微細形状ＦＳの最外周全体が突起部分１４によって囲まれることになる。
【００６３】
このように突起部分１４に対応する型空間（具体的には窪みＲ２）に溜まった樹脂によって、可動金型４１のうち微細形状ＦＳの転写のための型面部分Ｓ１１を予熱することで、この微細形状ＦＳに対応する型面部分Ｓ１１の温度低下が抑制される。この結果、予熱によって暖まった微細形状ＦＳに対応する型面部分Ｓ１１に導入された樹脂は、型面部分Ｓ１１の微細形状ＦＳに対応する微細転写構造ＦＴの凹部に入り込み易くなるので、転写性が向上し、対物レンズ１０を提供することができる。
【００６４】
以上実施形態に即して本発明を説明したが、本発明は、上記実施形態に限定されるものではなく、様々な変形が可能である。例えば、固定金型４２及び可動金型４１で構成される射出成形金型に設ける型空間ＣＶの形状は、微細形状ＦＳの最外周全体が突起部分１４によって囲まれるならば図示のものに限らず、様々な形状とすることができる。すなわち、コア型６４ａ，７４ａ等によって形成される型空間ＣＶの形状は、単なる例示であり、対物レンズ１０その他の光学素子の用途等に応じて適宜変更することができる。なお、対物レンズ１０の用途は、互換に限らず、例えばＢＤ単独とすることもできる。また、対物レンズ１０の用途は、光ピックアップ装置に限らず、撮像用レンズ等とすることもできる。
【００６５】
また、対物レンズ１０のフランジ部１２に設ける突起部分１４の形状は、光軸ＯＡのまわりに対称なものである必要はなく、例えば部分的に厚みＦが変化するものであってもよい。
【００６６】
対物レンズ１０の光学機能部１１に形成する微細形状ＦＳも図示のものに限らず、用途に応じた様々な回折構造等とすることができる。
【符号の説明】
【００６７】
１０  対物レンズ
１１  光学機能部
１２  フランジ部
１２ａ  頂面
１３  クビレ部分
１４  突起部分
１４ａ  内径面
１４ｂ  外径面
４０  成形金型
４１  可動金型
４２  固定金型
５１  型開閉駆動装置
５２  進退駆動装置
６１，７１  型板
６３，７２  取付板
６４ａ，７４ａ  コア型
６８  進退部材
８１Ａ，８１Ｂ  半導体レーザ
８４Ａ，８４Ｂ  偏光ビームスプリッタ
８４Ｃ  ダイクロイックプリズム
８７Ａ，８７Ｂ  光検出器
９１  アクチュエータ
ＣＶ  型空間
ＣＶ１  本体空間
ＣＶ２  フランジ空間
ＦＣ  流路空間
ＦＳ  微細形状
ＧＰ  ゲート
Ｉ１  第１の交点
Ｉ２  第２の交点
ＯＡ  光軸
ＯＳ１，ＯＳ２  光学面
Ｐ  突起
Ｐａ  頂点
ＰＳ１，ＰＳ２  パーティング面
Ｓ１，Ｓ２  転写面
Ｓ１１  型面部
【図１】
2011040148.tif 000003
【図２】
2011040148.tif 000004
【図３】
2011040148.tif 000005
【図４】
2011040148.tif 000006
【国際調査報告】
2011040148.tif 000007
2011040148.tif 000008
2011040148.tif 000009
2011040148.tif 000010
2011040148.tif 000011
2011040148.tif 000012